(57)【特許請求の範囲】
【請求項１】
被介護者を支持するための介護用寝台部を備えた介護用ベッドであって、
下端部にキャスターが設けられて上下に延びた脚部、および前記脚部により支持された車椅子側寝台部から構成され、前記キャスターにより移動自在となった車椅子と、
略箱状に形成されて上部にベッド側寝台部を備えたベッド本体とを有し、
前記ベッド本体の長手方向の一側面に、前記一側面から前記ベッド本体の中央部に向けて凹んで前記車椅子を収容可能となった車椅子収容空間が形成されており、
前記ベッド本体には、前記車椅子収容空間に前記車椅子が収容された状態において前記車椅子側寝台部の下面と対向する段差凹部と、前記キャスターを支持する本体底部とが形成され、
前記段差凹部には、前記車椅子収容空間に収容された前記車椅子側寝台部の下面に対して周面が当接する複数の円柱状のロールが、前記ベッド本体の短手方向に並んで露出しており、
前記本体底部には、前記キャスターが嵌まるように形成されて前記一側面から前記中央部に延びる溝付レールが配設されており、
前記キャスターを前記溝付レールに嵌めた状態で、前記ベッド本体に対して前記車椅子を前記一側面側から前記中央部に向けてスライド移動させて、前記ロールにより前記車椅子側寝台部を支持させた状態で前記車椅子を前記車椅子収容空間に収容させ、前記車椅子側寝台部および前記ベッド側寝台部により前記介護用寝台部が形成されることを特徴とする介護用ベッド。
【請求項２】
前記ベッド本体における前記一側面以外の側面に、平板状の引出形椅子部が略水平方向に引き出し可能となって収容されたことを特徴とする請求項１に記載の介護用ベッド。
【請求項３】
前記車椅子側寝台部が、
前記脚部の上部に取り付けられた固定横臥板片と、
前記固定横臥板片の一端側に上下に揺動自在に取り付けられた一端側揺動横臥板片と、
前記固定横臥板片の他端側に上下に揺動自在に取り付けられた他端側揺動横臥板片とを備えて構成されたことを特徴とする請求項１または２に記載の介護用ベッド。
【請求項４】
前記ベッド側寝台部は、前記ベッド側寝台部の下方に位置したベッド基台により支持されており、
前記ベッド基台の上下高さは、前記脚部の上下高さと略同一に構成されており、
前記車椅子を前記車椅子収容空間に収容したときに、前記車椅子側寝台部と前記ベッド側寝台部とが略同一高さに位置することを特徴とする請求項１〜３のいずれかに記載の介護用ベッド。
【請求項５】
前記ベッド本体の前記一側面に、前記一側面に沿ってスライド移動可能な引戸が設けられており、
前記引戸をスライド移動させることにより、前記車椅子収容空間の前記一側面側を開閉可能であることを特徴とする請求項１〜４のいずれかに記載の介護用ベッド。
【発明の詳細な説明】
【０００１】
【発明の属する技術分野】
当発明は、介護用ベッドに関するものである。
【０００２】
【従来の技術】
ベッド上に在って、介護を要する被介護者を車椅子に移す作業に、効果的助けとなる機能を備えたベッドは現在市場にない。寝たきりの病人を安定安全に車椅子に移すには、二人掛かりの重労働的作業となるのが、現状であった。但し、最近ベッドを縦割形成にして央部に車椅子となる部分を備え、縦に出入れする要領のベッドが市販されるとのことが、新聞に載っていた。有効なベッドであるように思えるが、上記ベッドはベッド上にある者が自力で操作することに主眼をおいて作られたもので、自力では操作出来ない、いわゆる要介護者を介護者が操作する場合、出入れが縦であるだけにスペース上の制約の外、出すときにはよいとしても、元に戻すときはバックで入れることになるわけで、従って、操作開始から終了までの一連の手順には、ベッドの周りを動き廻ることが要求される構造上の難点が伴っている。
【０００３】
【発明が解決しようとする課題】
被介護者をベッドから車椅子に移すに当って、介護者の作業を簡単且つ容易にしたいとする希いは、常に求められてきた、いわば切実な課題である。而もベッドの形状は、ほぼ従来形を維持しつつ、且つ設置スペースも既存形の範囲内に収めるとする制約が伴うもので、従って課題達成の要件を満たすに足るものであっても、その形状がベッドの持つ本来のデザインを損なうものであった場合、製品価値は半減する。この意味で機能とデザインのバランスは最重要であり、課題解決に欠くことの出来ない条件となる。
【０００４】
【課題を解決するための手段】
上記条件への配慮に基づく構成とした車椅子形成の機能を備えた介護用ベッドにして、以下詳細を述べることにする。本願発明に係る介護用ベッドは、被介護者を支持するための介護用寝台部を備えた介護用ベッドであって、下端部にキャスターが設けられて上下に延びた脚部、および前記脚部により支持された車椅子側寝台部から構成され、前記キャスターにより移動自在となった車椅子と、略箱状に形成されて上部にベッド側寝台部を備えたベッド本体とを有し、前記ベッド本体の長手方向の一側面に、前記一側面から前記ベッド本体の中央部に向けて凹んで前記車椅子を収容可能となった車椅子収容空間が形成されており、前記ベッド本体には、前記車椅子収容空間に前記車椅子が収容された状態において前記車椅子側寝台部の下面と対向する段差凹部と、前記キャスターを支持する本体底部とが形成され、前記段差凹部には、前記車椅子収容空間に収容された前記車椅子側寝台部の下面に対して周面が当接する複数の円柱状のロールが、前記ベッド本体の短手方向に並んで露出しており、前記本体底部には、前記キャスターが嵌まるように形成されて前記一側面から前記中央部に延びる溝付レールが配設されており、前記キャスターを前記溝付レールに嵌めた状態で、前記ベッド本体に対して前記車椅子を前記一側面側から前記中央部に向けてスライド移動させて、前記ロールにより前記車椅子側寝台部を支持させた状態で前記車椅子を前記車椅子収容空間に収容させ、前記車椅子側寝台部および前記ベッド側寝台部により前記介護用寝台部が形成される。なお、前記ベッド本体における前記一側面以外の側面に、平板状の引出形椅子部が略水平方向に引き出し可能となって収容されたことが好ましい。また、前記車椅子側寝台部が、前記脚部の上部に取り付けられた固定横臥板片と、前記固定横臥板片の一端側に上下に揺動自在に取り付けられた一端側揺動横臥板片と、前記固定横臥板片の他端側に上下に揺動自在に取り付けられた他端側揺動横臥板片とを備えて構成されたことが好ましい。さらに、前記ベッド側寝台部は、前記ベッド側寝台部の下方に位置したベッド基台により支持されており、前記ベッド基台の上下高さは、前記脚部の上下高さと略同一に構成されており、前記車椅子を前記車椅子収容空間に収容したときに、前記車椅子側寝台部と前記ベッド側寝台部とが略同一高さに位置することが好ましい。また、前記ベッド本体の前記一側面に、前記一側面に沿ってスライド移動可能な引戸が設けられており、前記引戸をスライド移動させることにより、前記車椅子収容空間の前記一側面側を開閉可能であることが好ましい。
［構造］
キャスター１〜１’付、脚部２〜２’に設けた補強棒３の鍵形の板受片４にスライド片５〜５’、レバーＲ付きスライド板６を取付けると共に、段差小凸部７付基台枠８に固定し、次に固定孔９〜９’、両側切欠１０〜１０’、段差１１付凹部１２、ネジ孔１３、クッション１４、ストッパー嵌着凹部ＳＳ、ストッパーＳを付けた第１横臥板片１５を形成し、之にスライドレバー１６〜１６’央部切欠１７、段差爪１８のあるスライド板１９を当て、段差２０、ネジ孔２１のある固定片２２にて摺動自在に固定すると共に、上記基台枠上に固定する。更に長溝部２３、凹部２４、回動爪２５、ネジ孔２６、両袖２７〜２７’、小切欠Ｃ、クッション２８付第２横臥板片２９を連結し、続いて回動爪受凹部３０、クッション３１付第３横臥板片３２を、ベルト状ちょう板３３にて連結し、更にネジ孔３４、凹部３５、回動爪３６、クッション３７付き第４横臥板片３８を、ベルト状ちょう板３３にて連結する。外にネジ孔３９付両袖４０〜４０’、段差４１、爪受段差４２、両長切欠４３〜４３’ちょう板４４にて連結したひじ掛片４５〜４５’、ストッパー嵌着凹部ＳＳ、ストッパーＳ、クッション４６付第５横臥板片４７を連結し、更に凹部４８、回動爪４９、クッション５０付第６横臥板片５１をちょう板５２にて連結し、車椅子変装機能を併備せしめた寝台部を形成する。次に、別にベッド基台５３、ベッド枠５４、足側枠５５、引出枠５６、敷居固定片５７、溝付レール５８〜５８’、段差凹部５９〜５９’、ロール受板６０〜６０’、長ロール受板６１、ロール６２〜６２’を嵌合し、続いて別に引出形椅子部６３〜６３’、曲折形椅子延長板６４〜６４’をちょう板Ｔにて、連結すると共に、段差Ｄ付椅子部支持脚片６５〜６５’、段差Ｄ付きスライド式脚片６６〜６６’、引出用溝６７〜６７’、寝台縁載置凸部６８、端部支持用引出片Ｇ等を形成付設する。更に、外に小溝レール６９、滑車溝７０付敷居片７１を固定し、補強板Ｈを当て、摺動安定用凸部７２〜７２’のある支持脚部７３〜７３’に曲凸部７４〜７４’、ネジ孔Ｎを穿った上部押板７５〜７５’を締着し、次に細溝７６〜７６’、上溝７７、下凸部７８、表面凹凸部７９、滑車８０〜８０’を形成した引戸８１、対象引戸８２を嵌合すると共に、外にクッション８３、縁８４付曲折開閉板中８５、対象開閉板中８６を形成し、ちょう板８７〜８７’の片方を付けておき、同じくクッション、縁、付開閉板外８８、対象開閉板外８９を形成し、上記ちょう板の片方を連結し、更にちょう板９０〜９０’にて、ベッド基台側に開閉自在に連結する。以上の構成を有する車椅子形成機能併備の介護用ベッド。
【０００５】
【発明の構成パーツの役割作用及び実施の形態】
【構造】につき、図面と共に説明する。
図１０に示す通り、符号１から８までの各パーツの組立により形成された車椅子部分の上面に載置固定された第１横臥板片１５を基準に左右に連結された第２横臥板片２９から第６横臥板片５１によって形成した寝台部は、図１の央部に嵌着された状態になっていて、図２は上記図１の左側面図であり、使用操作に当って、ベッド足側の引出枠５６を引き出すと共に、開閉板中８５、同対象開閉板中８６を持ちあげると連結している開閉板外８８、同じく対象開閉板外８９が図３に示す位置に納まることになる。次の手順として、引戸８１、対象引戸８２を開ける図３に示す通りの形態をなして、上記寝台部側面が現れる。これを引出すのであるが、寝台部下面は図４、図９に示す通り、ロール６２に接していて、更にキャスター１〜１’は溝付きレール５８〜５８’上にあるから寝台部はスムーズに引出されることになる。尚、寝台状のまま、移動することも自由であるが、車椅子に形成するに当っての手順として、第３〜第４の横臥板片３２、３８間の下部の回動爪３６を回し、次いで第２〜第３横臥板片２７、３２の下面間の回動爪２５を回すと共にスライドレバーＲを摺動せしめて、スライド板６を押し出しておき、続いてスライドレバー１６を摺動せしめると、直結のスライド板１９の先端にある爪１８部分が嵌合されていた長溝部２３から抜けはずれて、上記各横臥板片が図１１右側に示す通りの形態に変化する。但し、横臥板片３８は手で折り返す。更に第５横臥板片４０を起こすと共に、ストッパーＳを出して固定し、上部の回動爪４９を回して、第６横臥板片５１を折り下げ、次いでひじ掛け片４５〜４５’を回動せしめ、図１１に示す形状に固定する。上記手順にて寝台部は車椅子に変化形成されることになる。また、上記車椅子を寝台部に戻すに当っては、上記手順の逆を行うことで元の形状となる。更に上記寝台部をベッド央部に戻すのであるが、寝台部の端部下面がベッド側寝台縁載置凸部上に載接する。次いで、引戸８１対象引戸８２を閉めた後、曲折開閉板中８５、対象曲折開閉板中８６を閉めると、連結した開閉板外８８、対象開閉板外８９が連動して閉まるのであるが、このとき車椅子側小凸部７上に載接するから、ベッドと寝台部は完璧に一体化することになる。尚、上記ベッドの実施に当っては、ベッド右側の引出形椅子部６３〜６３〜６３部分を引き出すと椅子部支持脚片６５〜６５〜６５も引き出てくる。更に、ちょう板によって連結している曲折形椅子延長板６４〜６４〜６４を水平にすると共に、スライド式脚片６６〜６６〜６６を引出して安定せしめる外、端部支持用引出片Ｇ〜Ｇ’を引き出して固定化する。上記形成された引出しスペースに掛布団を置き、また付き添いをする者の仮眠のスペースとしての役割もするし、また央部一ヶ所を引き出せば椅子としても使えることになる。更に足側引出枠５６には、毛布等をかけたり、収納することが出来るようになっている。
【０００６】
【発明の効果】
当発明のベッドによって、従来要介護者を車椅子に移すことには、二人掛かりで行わざるを得なかった。作業が一人で出来るようになり、且つ、簡単な作業手順で出来るようになった。この事は高齢化社会に向かいつつあり、要介護者の増大に伴って、必然的に求められる介護者の絶対数集人難の今日にかんがみて、社会的に救いとなり得る発明上の効果がある。
【図面の簡単な説明】
【図１】  上面図
【図２】  左側面図
【図３】  実施開始の左側面図
【図４】  寝台部分を引出した後の上面図
【図５】  引戸の表側の斜視図
【図６】  図５の裏側を示す斜視図
【図７】  図５〜図６の支持脚部の斜視図
【図８】  図５の安定用押え板の斜下視図
【図９】  図４の斜視図
【図１０】寝台部の側面図
【図１１】車椅子に形成した状態を示す側面図
【図１２】足元部分の支持板の斜視図
【図１３】第１横臥板の下側斜視図
【図１４】図１３に当てるスライド板の下面を示す斜視図
【図１５】図１４の支持固定片の斜視図
【図１６】第２横臥板の下面を示す斜視図
【図１７】第５横臥板の上面斜視図
【図１８】各横臥板の連結形態の下面を上にして示した斜視図
【図１９】図１  Ａ〜Ａ’間の断面図
【図２０】図２３  Ｂ〜Ｂ’間の断面図
【図２１】図２の反対側の側面図
【図２２】図２１の操作後を示した図２３の側面図
【図２３】図２２の上面図
図中の同一符号は共に同一又は対等の部分を示すものであり、尚、図１央部はフレーム形状の符号であり、クッション符号を付けていない。
【符号の説明】
１〜１’    キャスター
２〜２’    脚部
３〜３’    補強棒
４          板受片
５〜５’    スライド片
６          スライド板
７          段差小凸部
８          基台枠
９〜９’    固定孔
１０〜１０’  両側切欠
１１          段差
１２          凹部
１３          ネジ孔
１４          クッション
１５          第１横臥板片
１６〜１６’  スライドレバー
１７          央部切欠
１８          段差爪
１９          スライド板
２０          段差
２１          ネジ孔
２２          固定片
２３          長溝部
２４          凹部
２５          回動爪
２６          ネジ孔
２７〜２７’  両袖
２８          クッション
２９          第２横臥板片
３０          回動爪受凹部
３１          クッション
３２          横臥板片
３３          ベルト状ちょう板
３４          ネジ孔
３５          凹部
３６          回動爪
３７          クッション
３８          第４横臥板片
３９          ネジ孔
４０〜４０’  両袖
４１          段差
４２          爪受段差
４３〜４３’  両長切欠
４４          ちょう板
４５〜４５’  ひじ掛片
４６          クッション
４７          第５横臥板片
４８          凹部
４９          回動爪
５０          クッション
５１          第６横臥板片
５２          ちょう板
５３          ベッド基台
５４          ヘッド枠
５５          足側枠
５６          引出枠
５７          敷居固定片
５８〜５８’  溝付レール
５９〜５９’  段差凹部
６０〜６０’  ロール受板
６１          長ロール受板
６２〜６２’  ロール
６３〜６３’  引出形椅子部
６４〜６４’  曲折形椅子延長板
６５〜６５’  椅子部支持脚片
６６〜６６’  スライド式脚片
６７〜６７’  引出用溝
６８          寝台縁載置凸部
６９          小溝レール
７０          滑車溝
７１          敷居片
７２〜７２’  摺動安定用凸部
７３〜７３’  支持脚部
７４〜７４’  曲凸部
７５〜７５’  上部押板
７６〜７６’  細溝
７７          上溝
７８          下凸部
７９          表面凹凸部
８０〜８０’  滑車
８１          引戸
８２          対象引戸
８３          クッション
８４          縁
８５          曲折開閉板中
８６          対象曲折開閉板中
８７〜８７’  ちょう板
８８          開閉板外
８９          対象開閉板外
９０〜９０’  ちょう板
Ａ〜Ａ’      断面位置
Ｂ〜Ｂ’      断面位置
Ｃ            小切欠
Ｄ〜Ｄ’      段差
Ｇ〜Ｇ’      端部支持用引出片
Ｈ            補強板
Ｎ            ネジ孔
ＳＳ          ストッパー嵌着凹部
Ｓ            ストッパー
Ｔ            ちょう板
Ｒ            スライドレバー
【図１】
0004521087.tif 000002
【図２】
0004521087.tif 000003
【図３】
0004521087.tif 000004
【図４】
0004521087.tif 000005
【図５】
0004521087.tif 000006
【図６】
0004521087.tif 000007
【図７】
0004521087.tif 000008
【図８】
0004521087.tif 000009
【図９】
0004521087.tif 000010
【図１０】
0004521087.tif 000011
【図１１】
0004521087.tif 000012
【図１２】
0004521087.tif 000013
【図１３】
0004521087.tif 000014
【図１４】
0004521087.tif 000015
【図１５】
0004521087.tif 000016
【図１６】
0004521087.tif 000017
【図１７】
0004521087.tif 000018
【図１８】
0004521087.tif 000019
【図１９】
0004521087.tif 000020
【図２０】
0004521087.tif 000021
【図２１】
0004521087.tif 000022
【図２２】
0004521087.tif 000023
【図２３】
0004521087.tif 000024